(57)【要約】
【課題】マウスなどのパーソナルコンピュータの入力装置の電池蓋を補強し、電池交換の便利性を高め、指標装置本体の構造を簡素化して小型化する。
【解決手段】無線指標装置本体１０を含み、その内部に回路装置が設置され、指標装置本体上には開口１１３が成形され、その開口箇所に電池蓋１５が設置される。この電池蓋の指標装置本体内部面上に支持台１６が設置されて、そこに電池を入れる。電池蓋と支持台から構成されるモジュール電池台は、支持台と指標装置本体の対応箇所に凸縁１６２とこれに嵌合する凹溝からなるレール装置が設置され、電池を電池蓋の支持台に設置して支持台を指標装置本体上の開口から指標装置本体内に入れると、該レール装置によって指標装置本体に入り、指標装置本体内の電池バネ片に確実に接触し、回路装置と相互に電気的に導通して無線指標装置の電力を供給する。
【選択図】図２
0003099383.tif 000002
【実用新案登録請求の範囲】
【請求項１】
　少なくとも指標装置本体及び電力供給モジュールから構成された無線指標装置であって、
　指標装置本体は、開口を具え、且つ電力供給モジュールをその開口の内側に直接入れ込むものであること、
　電力供給モジュールは、少なくとも一つの電池を設置して電池が無線指標装置の電源となり、また開口内から引き出して、電池を交換するよう構成されることを特徴とする無線指標装置。
【請求項２】
　前記指標装置本体は、内部に回路板を設置し、且つ回路板は少なくとも電池に対応する電池バネ片を具え、これによって電力供給モジュールを開口内に設置した後、電池と電池バネ片が相互に電気的に導通することを特徴とする請求項１記載の無線指標装置。
【請求項３】
　前記指標装置本体の開口は、指標装置本体後部に設置し、支持台は指標装置本体内に水平に入ることを特徴とする請求項１記載の無線指標装置。
【請求項４】
　前記電力供給モジュールは、支持台を具えて電池を支持し、この支持台両側には凸縁が成形され、且つ開口内の両側には対応する凹溝が成形され、電力供給モジュールは開口からの引き出し、もしくは挿入することを特徴とする請求項１記載の無線指標装置。
【請求項５】
　前記電力供給モジュールと指標装置本体間は、掛合装置によって相互に連結することを特徴とする請求項１記載の無線指標装置。
【請求項６】
　前記掛合装置は、電力供給モジュールに設置する掛合溝及び指標装置本体に設置する掛合凸から構成されることを特徴とする請求項５記載の無線指標装置。
【請求項７】
　前記無線指標装置は、無線マウスもしくはトラックボールとすることを特徴とする請求項１記載の無線指標装置。
【請求項８】
　前記無線指標装置は、無線入力装置とすることを特徴とする請求項１記載の無線指標装置。
【請求項９】
　前記無線指標装置は、ゲームコントローラーとすることを特徴とする請求項８記載の無線指標装置。
【考案の詳細な説明】
【技術分野】
【０００１】
　本考案は、パーソナルコンピュータへの入力に用いられるマウスなどの指標装置の電池蓋の構造を補強し、電池の交換の便利性を高め、指標装置本体の構造を簡素化するモジュール電池台を具えた無線指標装置に関するものである。
【背景技術】
【０００２】
　公知の無線指標装置は、電池を電源とするため、指標装置内に電池収納室を設置して、電池を収納する。指標装置のフレームは電池収納室に対応し、電池蓋を設置して電池を着脱する。例として、
【特許文献１】米国特許6,411,281  B１号「ＭＯＵＳＥ　ＷＩＴＨ　ＢＥＡＴＴＥＲＹ　ＣＯＭＰＡＲＴＭＥＮＴ　ＯＮ　ＴＯＰ」、及び
【特許文献２】米国特許6,225,981  B１号「ＷＩＲＥＬＥＳＳ　ＣＯＭＰＵＴＥＲ　ＭＯＵＳＥ」の二件の特許提案に於いて、その無線指標装置のフレームは主に上フレームと底台から構成され、上フレームには陥没した電池室が設置され、且つ上フレームは電池室に対応して電池蓋が設置される。このような構造はうまくできているが、上フレームが複雑になり、且つ重くなり、無線指標装置の小型化を妨げる原因になっている。更に電池蓋は上フレームの電池室開口に設置されるため、電池蓋の外形は更に大きく、薄くなり、強度が下がる。この他電池室の設置位置を変更すると、マウスの外観が大きく影響され、デザインの質にも影響が出る。
【０００３】
【特許文献３】中国実用新案授権番号２４８５７１８Ｙ号「プッシュボード交換可能な指標装置」　更に別の特許文献があり、この案件はプッシュボードを嵌合台の凹部に嵌合し、プッシュボード内部には電池台を設置して、電池を収蔵し、無線指標装置とする。
【考案の開示】
【考案が解決しようとする課題】
【０００４】
　　解決しようとする問題点は、この無線指標装置を製造する場合、一枚の薄いプッシュボード底部に電池台を設置する方法は不可能なことである。それは、プッシュボードは一種の操作部品であり、マウス内部のスイッチを押すことによって上下移動するように作る必要がある。また電池台は固定部品であるため、電池台をプッシュボード内部に設置すると、次のような不良状況が発生する可能性がある。
１、プッシュボードは極めて薄いので、電池台は電池を含む重量がかかり、下に引っ張られ　、プッシュボード押圧後の戻りに影響が出る。
２、電池台は、プッシュボードの押圧に従い、上下移動するので、電池が緩み、接触不良を　起こす。
３、電池台は、マウス内部の回路板と連接する電源コードを具える。そのため、プッシュボ　ード、もしくは電池を交換する時、電源コードを引張り、交換の面倒さだけでなく、電源　コードを切ってしまう可能性がある。
　事実、目下市場ではこの種の構造による無線指標装置は出ていない。その原因は、上述の問題点があるためである。
【課題を解決するための手段】
【０００５】
　本考案は、モジュール電池台を具えることによって、電池上蓋体の構造を補強し、電池の交換の便利性を高めることを最も主要な特徴とする。
【考案の効果】
【０００６】
　　本考案の無線指標装置は、電池蓋と支持台から構成されるモジュール電池台によって、電池蓋の構造を補強し、電池の交換の便利性を高め、指標装置本体の構造を簡素化することによって、小型化できるという利点がある。
【考案を実施するための最良の形態】
【０００７】
　モジュール電池台を備えることによって、電池上蓋体の構造を強化し、さらに電池の交換性を高めるという目的を、実現した。
【実施例１】
【０００８】
　図１及び図２は、本考案を無線指標装置もしくは無線入力装置に応用したもので、例としてcomputer mouse, trackball, game pad,joystick…等の装置に使用する。本例では無線マウスを例にとり説明する。本考案は、指標装置本体１０を含み、この指標装置本体１０は上蓋体１１及び底台１２から構成される。上蓋体１１と底台１２はネジによって螺合するか、もしくは相互に掛合する。これは公知の技術なので説明を省く。指標装置本体１０内部には回路板１３及び電池バネ片１４ａ、１４ｂが設置され、この電池バネ片１４ａ、１４ｂは金属導電材質から成り、回路板１３上に設置した回路もしくは電子部品と相互に電気接続する。上蓋体１１上にはプッシュボード１１１、滑動輪１１２が設置され、ユーザーは指標装置本体１０外部からマウスを操作する。
　上蓋体１の後部には開口１１３が設置され、この開口１１３に電池蓋１５を被せる。この電池蓋１５が開口１１３を覆い、上蓋体１１が平滑な外形になるか（図１参照）、その他特殊な凹凸形になる。この電池蓋１５と上蓋体１１の間は凹溝によって相互に嵌合するか、もしくは凸縁と凹溝が相互に嵌合する。このように実施方式は多種有るが、掛合方式が最も一般的であり、掛合の形態及びその設置数は、電池蓋１５もしくは指標装置本体１０の外形によって決まる。このため、当図中のものは一つの参考にすぎない。図３及び図４が示すとおり、電池蓋１５内側壁後部及び底台１２内部の対応箇所には相互に掛合する掛合凸１５１及び掛合溝１２１が設置され、これによって、電池蓋１５を上蓋１１及び底台１２上で定位する。電池蓋１５を取外す時には、底台外部から掛合凸１５１を外すだけで、電池蓋１５が外せる。
【０００９】
　図２〜図６に示すとおり、電池蓋１５の指標装置本体１０内部面上に支持台１６が設置され、この支持台１６は両軸があり、平行且つ水平な長さの円弧部１６１が延び、この円弧部１６１の弧度及び長さは、国際基準の電池の規格に合わせて設定される。例として、３号電池（ＡＡ）もしくは４号電池（ＡＡＡ）等の電池であり、二個の電池１７をそこに入れる。支持台１６の電池蓋１５に近い一端には二つの貫通部１６３が成形され、その貫通部１６３内に金属材の電池バネ片１４ｃ、１４ｄが設置される。この電池バネ片１４ｃ、１４ｄに電池１７の負極１７２、正極１７１を接触させる。支持台１６の左右両側縁には、相互に平行な凸縁１６２が設置され、その凸縁１６２は、円弧部１６１と軸方向に平行で、これによって電池蓋１５、支持台１６及び電池１７が一体となって電力を供給する。
【００１０】
　上蓋体１１の支持台１６両側縁に設置した凸縁１６２と相互に対応する箇所には凹溝１１４が成形され、凸縁１６２と凹溝１１４によってスムーズに掛合される構造になっている。凹溝１１４によって、支持台１６が指標装置本体１０に定位され、二個の電池１７の正極１７１、負極１７２はそれぞれ別に電池バネ片１４ａ、１４ｂと接触し、回路板１３と相互に電気連通して電力を供給する。電池を交換する場合には、電池蓋１５と支持台１６を引き出せばよく、引き出しのような形態である。
【産業上の利用可能性】
【００１１】
　本考案によって、無線指標装置の構造が簡素化し、装置の小型化にも適用できる。
【図面の簡単な説明】
【００１２】
【図１】本考案の組立立体図である。
【図２】本考案の分解立体図である。
【図３】本考案の電池蓋を取った後の別角度からの立体図である。
【図４】本考案の電池蓋及び支持台の底部立体図である。
【図５】本考案の支持台と指標装置本体の組立断面指示図である。
【図６】本考案の電池と電池バネ片接触の立体指示図である。
【符号の説明】
【００１３】
　　１０　　指標装置本体
　　１１　　上蓋体
　１１１　　プッシュボード
　１１２　　滑動輪
　１１３　　開口
　１１４　　凹溝
　　１２　　底体
　１２１　　掛合溝
　　１３　　回路板
　　１４ａ　電池バネ片
　　１４ｂ　電池バネ片
　　１４ｃ　電池バネ片
　　１４ｄ　電池バネ片
　　１５　　電池蓋
　１５１　　掛合凸
　　１６　　支持台
　１６１　　円弧部
　１６２　　凸縁
　　１７　　電池
　１７１　　正極
　１７２　　負極
【図１】
0003099383.tif 000003
【図２】
0003099383.tif 000004
【図３】
0003099383.tif 000005
【図４】
0003099383.tif 000006
【図５】
0003099383.tif 000007
【図６】
0003099383.tif 000008